(57)【要約】【課題】専用の製造装置を必要とせず、従来からのシール製造装置を用いて簡単に製造可能な応募券用シールを提供すること。【解決手段】第１貼付け部２、第２貼付け部３からなる２つの貼付け部に応募券を構成する応募券本体部４を隣接させ、この応募券本体部４の裏面に剥離紙７を仮着させた状態で利用することに着目したもので、所定の商品に貼り付け可能な応募券を形成している応募券用シール１であって、商品に第１貼付け部２と、この第１貼付け部２に第１切取り線１０を介して隣接し、応募券を形成可能な応募券本体部４と、応募券本体部４の他端側に第２切取り線１１を介して隣接している第２貼付け部３と、を有し、第１貼付け部２、第２貼付け部３、および応募券本体部４のそれぞれの裏面に粘着剤層を形成し、さらに、応募券本体部４に剥離紙７が仮着していることを特徴とする。【選択図】図１
2008143085.tif 000002
【特許請求の範囲】
【請求項１】
所定の商品あるいはその包装容器に貼り付け可能であるとともに、応募券を形成している応募券用シールであって、前記商品あるいは前記包装容器に貼り付け可能である第１貼付け部と、この第１貼付け部に第１切取り線を介して隣接しているとともに、前記応募券を形成可能な応募券本体部と、前記応募券本体部の他端側に第２切取り線を介して隣接している第２貼付け部と、を有し、前記第１貼付け部、前記第２貼付け部、および前記応募券本体部のそれぞれの裏面に粘着剤層を形成し、さらに、前記応募券本体部には剥離剤層を形成している前記剥離紙が仮着していることを特徴とする応募券用シール。
【請求項２】
前記第１貼付け部は、前記第２貼付け部とほぼ同一形状およびほぼ同一面積を有することを特徴とする請求項１記載の応募券用シール。
【請求項３】
前記第１切取り線ならびに前記第２切取り線の両端には、それぞれ切欠部が前記応募券本体部側に設けられていることを特徴とする請求項１記載の応募券用シール。
【発明の詳細な説明】
【技術分野】
【０００１】
本発明は応募券用シールにかかるもので、とくに製造コストを低く抑えることができる応募券用シールに関するものである。
【背景技術】
【０００２】
従来から、商品の販売促進のために、商品あるいはその包装容器にキャンペーン用その他の目的の応募券を取り付けておき、商品の購入客に当該応募券を販売元ないし製造元に送付してもらうということが行われていた。
一般的な応募券を形成するための応募券シールは、複雑な構成を有する多層シールや飲料用スチール缶などに貼られている一般シールが多く使用されている。
多層シールを製造するためには専用の設備を必要とし、大口ロット生産を避けられないという問題がある。つまり、多層シールは、その製造のために高価な専用設備を必要とするし、シール単価が高くなってしまうとともに、製造工程が複雑であるため、生産ロットを大きくせざるを得ず、納期が長くなってしまうという問題がある。
また、飲料用スチール缶などに貼られているキャンペーンシールを応募用として使用する場合、一度、缶から剥がす必要があり、剥離者の指によりシールを大きく鋭角に折り曲げて剥すために、その剥離操作によってシール基材が表側にカールや、シール基材の表面側に反ってしまう、また剥がしたシール基材の端部に皺の発生や剥がすことによる粘着面の劣化などにより葉書などにうまく貼り付かないという問題があった。
【０００３】
【特許文献１】特開２００２−５９６７６号公報
【発明の開示】
【発明が解決しようとする課題】
【０００４】
本発明は以上のような諸問題にかんがみなされたもので、製造単価を低く抑えることができる応募券用シールを提供することを課題とする。
【０００５】
また本発明は、需要に応じてタイムリーな供給を可能とする納期が短い応募券用シールを提供することを課題とする。
【０００６】
また本発明は、専用の製造装置を必要とせず、従来からのシール製造装置を用いて簡単に製造可能な応募券用シールを提供することを課題とする。
【０００７】
また本発明は、商品ないしその包装容器に確実に貼り付けるとともに、購入者も容易に応募券として確実に葉書に貼着可能な応募券用シール提供することを課題とする。
【課題を解決するための手段】
【０００８】
すなわち本発明は、第１貼付け部、第２貼付け部からなる２つの貼付け部に応募券を構成する応募券本体部を隣接させ、この応募券本体部の裏面に剥離紙を仮着させた状態で使用することに着目したもので、本発明は、所定の商品あるいはその包装容器に貼り付け可能であるとともに、応募券を形成している応募券用シールであって、前記商品あるいは前記包装容器に貼り付け可能である第１貼付け部と、この第１貼付け部に第１切取り線を介して隣接しているとともに、前記応募券を形成可能な応募券本体部と、前記応募券本体部の他端側に第２切取り線を介して隣接している第２貼付け部と、を有し、前記第１貼付け部、前記第２貼付け部、および前記応募券本体部のそれぞれの裏面に粘着剤層を形成し、さらに、前記応募券本体部に剥離剤層を形成している前記剥離紙が仮着していることを特徴とする応募券用シールである。
【０００９】
上記第１貼付け部は、上記第２貼付け部とほぼ同一形状およびほぼ同一面積を有することができる。
【００１０】
上記第１切取り線ならびに上記第２切取り線の両端には、それぞれ切欠部が上記応募券本体部側に設けられていることができる。
【発明の効果】
【００１１】
本発明による応募券用シールおいては、応募券本体部にそれぞれ隣接する第１貼付け部および第２貼付け部を設けるとともに、それぞれの裏面に粘着剤層を形成し、さらに応募券本体部に剥離紙を仮着したので、第１貼付け部ならびに第２貼付け部を商品に貼り付けることができる。したがって、当該応募券用シール自体の製造において、従来どおり、その裏面に均一に粘着剤層を形成し、さらに裏面を型抜きによるスリット加工を施すことで応募券本体部に剥離剤層を有する剥離紙を残置させ非粘着領域を形成できるため、従来のような筋糊原反などを使用することなく、製造コストを低く抑えるとともに、タイムリーな供給が可能である。
【００１２】
とくに発明によれば、応募券本体部には剥離紙が仮着しているため、応募券を商品から剥がし取る際、応募券を有する応募券本体部を第１切取り線、第２切取り線より切欠部をきっかけに第１貼付け部、第２貼付け部から切り離し、応募券として葉書その他に貼り付けて郵送することができる。
さらに、製造工程における粘着剤層や剥離剤層の従来と同塗布工程は様とすることができ、製造コストの上昇を抑えることができる。
【発明を実施するための最良の形態】
【００１３】
本発明は、第１貼付け部、第２貼付け部、応募券本体部を画成するとともに応募券本体部に剥離紙を残置させる簡単な構成のため、安価に製造可能な応募券用シールを実現した。
【実施例】
【００１４】
つぎに本発明の第１の実施例による応募券用シールを図１ないし図５にもとづき説明する。
図１は、応募券用シール１の平面図、図２は、応募券用シール１の縦断面図、図３は、応募券用シール１の裏面図である。
【００１５】
応募券用シール１は、所定の商品Ｍあるいはその包装容器に貼り付け可能であるとともに、応募券を形成するものであって、任意の上質紙、コート紙、ミラーコート紙、フォイル紙、和紙、耐水紙、蛍光紙、クラフト紙、ポリエステル紙、合成紙などによるシール基材５から構成し、第１貼付け部２と、第２貼付け部３と、応募券本体部４と、を有する。
【００１６】
第１貼付け部２ならびに第２貼付け部３は、たとえば長方形などを呈し、商品Ｍ（あるいはその包装容器）に貼り付け可能とするだけの所定の面積を有する。また、第１貼付け部２は、第２貼付け部３とほぼ同一形状およびほぼ同一面積を有する。
【００１７】
応募券本体部４は、第１貼付け部２および第２貼付け部３の間に位置した正方形あるいは長方形など四角形状を呈し、これら第１貼付け部２および第２貼付け部３にそれぞれミシン目などによる第１切取り線１０、および反対側に位置する第２切取り線１１を介して隣接している。
すなわち、応募券本体部４は、第１切取り線１０において第１貼付け部２からこれを切り取り可能であるとともに、第２切取り線１１において第２貼付け部３から切り取り可能である。
【００１８】
第１切取り線１０ならびに第２切取り線１１は、シール基材５と粘着剤層６まで破断するミシン目であり、カットとアンカットの比率は２．７：０．３とすることで切り離す際、好適となる。また、第１切取り線１０ならびに上記第２切取り線１１の両端には、それぞれ切欠部１２が応募券本体部４側に設けてある。
【００１９】
切欠部１２は応募券本体部４の四つ角に位置し、２つないし、４つ必要である。応募券用シール１を所定の商品Ｍあるいはその包装容器より応募券本体を剥がすきっかけとなるもので、剥がし易くする機能がある。切欠部１２の面積は、大きいほど剥がしやすいが、応募券本体部４の印刷領域が反対に小さくなるため、印刷を施す領域に依存する。
【００２０】
応募券本体部４は、第１貼付け部２および第２貼付け部３とほぼ同一形状およびほぼ同一面積を有するとともに、第１貼付け部２と、第１切取り線１０を介して隣接している。また応募券本体部４の他端側は、第２切取り線１１を介して第２貼付け部３と隣接している。
【００２１】
図２、図３に示すように第１貼付け部２、第２貼付け部３、および応募券本体部４のそれぞれの裏面には均一に粘着剤層６を形成している。また、応募券本体部４のみに剥離剤層を形成している剥離紙７が仮着し非粘着領域を形成しているが、後述するように所定の商品Ｍ（又はその包装容器）に貼り付け可能としている。
【００２２】
剥離紙７には、グラシン紙、クラフト紙、フィルムなど筆記性、捺印性がある基材が好適である。すなわち応募券本体部４の裏面（図３）に「当り」「はずれ」の情報を印刷するのに適している。（図示せず）したがって、応募券裏側の剥離紙７に印刷を施し「くじ」情報を付加することも可能としている。
【００２３】
第１貼付け部２、第２貼付け部３、応募券本体部４のそれぞれの裏面に剥離紙がある場合、抜き型（図示せず）によるスリット加工を行い、剥離紙に切れ目を入れ、第１貼付け部２、第２貼付け部３に仮着している剥離紙を除去することで、応募券本体部４のみに剥離剤層を有する剥離紙７を残置させ非粘着領域を形成することも可能である。
【００２４】
上述した第１貼付け部２、第２貼付け部３および応募券本体部４には、商品販売促進用に各種の印刷を行うものである。
図１に示すように、たとえば、応募券を構成することになる応募券本体部４には、「応募券」さらに第１貼付け部２に「応募券を剥がして・・・までお送り下さい。」、などと記載することができる。
さらに、応募券本体部４においては、「裏側に応募券があります。」などの記載、および第１切取り線１０または、第２切取り線１１の内側領域内に「この線から切り取って下さい。」と、あらかじめ印刷する。
第２貼付け部３には、「もれなく、素敵な商品が当たります。」など、あらかじめ印刷し、任意の商品販売促進用の印刷を施しておくことができる。
ただし、応募券本体部４には「応募券」と表示するものとする。
【００２５】
こうした構成の応募券用シール１を所定の商品Ｍ（あるいはその包装容器）に貼り付ける方法を説明する。
図４に示すように、第１貼付け部２の裏面にある粘着剤層６と、第２貼付け部３の裏面にある粘着剤層６により、第１貼付け部２、第２貼付け部３、および応募券本体部４を一つの応募券シールとして商品Ｍに貼り付けることが可能である。
【００２６】
また図５に示すように、応募券本体部４を応募券として商品Ｍから剥がし取る場合には、両端に有る切欠部１２より剥がし始め、第１切取り線１０および第２切取り線１１に沿って応募券本体部４と応募券本体部４に仮着されている剥離紙７が同時に切り剥がされるため、応募券本体部４の表側にカールや、表面側に反ってしまうこともなく、また剥がした応募券本体部４の端部に皺の発生もない。
【００２７】
応募券自体（応募券本体４）を第１貼付け部２ならびに第２貼付け部３から切り離し、葉書（図示せず）などに貼付して送付応募する際も、応募券（応募券本体４）は剥離紙７を剥がしてから葉書などに貼るため、粘着面の劣化等による貼り付き不良などはなく、安定した粘着力を保持可能である。
【００２８】
かくして、シール基材を一般的なシール印刷機に装填して、第１貼付け部２、応募券本体４、および第２貼付け部３の画成、表面上への印刷、剥離紙への抜型によるスリット加工、など通常の単層シール基材を用いた製造処理が可能となり、小口ロットであっても納期もかからずに製造可能である。
【００２９】
とくに、応募券用シール１の形成にあたっては、それぞれの応募券用シール１に切り分けるとともに第１切取り線１０および第２切取り線１１を形成するためのシール用の刃型（図示せず）を作成し、また応募券用シール１の裏面にもシール用の刃型を作成し、応募券本体部４に剥離剤層を有する剥離紙７を残置させ非粘着領域を形成するもので、従来のような筋糊原反などを使用することなく、製造コストを低く抑えることが可能である。
【００３０】
なお本発明においては、第１貼付け部２および第２貼付け部３は、互いにほぼ同一形状およびほぼ同一面積を有するものであれば、それぞれの形状として四角形、三角形、あるいは台形など、任意の形状にこれを形成可能であり、これらの形状に合わせて、第１切取り線１０、第２切取り線１１を形成することができる。
とくに、第１貼付け部２および第２貼付け部３を応募券本体部４のそれらの形状に合わせて選択形成するとともに、応募券用シール１として隣り合わせの部分を組み合わせ配置により、一定幅の帯状原反での製造が可能である。
【図面の簡単な説明】
【００３１】
【図１】本発明の実施例による応募券用シール１の平面図である。
【図２】同、縦断面図である。
【図３】同、裏面図である。
【図４】同、応募券用シール１を商品Ｍの表面に第１貼付け部２、第２貼付け部３、応募券本体部４で貼り付ける状態を示す側断面図である。
【図５】同、応募券シール１の応募券本体部４を商品Ｍより剥がし始めた状態の応募券用シール１の斜視図である。
【符号の説明】
【００３２】
１  応募券用シール（実施例、図１）
２  第１貼付け部
３  第２貼付け部
４  応募券本体部
５  シール基材
６  粘着剤層
７  剥離紙
１０  第１切取り線
１１  第２切取り線
１２  切欠部
Ｍ    商品
【図１】
2008143085.tif 000003
【図２】
2008143085.tif 000004
【図３】
2008143085.tif 000005
【図４】
2008143085.tif 000006
【図５】
2008143085.tif 000007